(57)【要約】【課題】  同一インクタンクを複数個搭載するインクジェットプリンタにおいて、１回あたりのインクタンク交換にかかる、ユーザの経済負担を軽減する。【解決手段】  複数ある同種インクタンクをインク使用割合をずらすことで、同時に空になるのを防止する。  その結果、複数個搭載された同一インクタンクの交換時期を均等化できる。  搭載するインクタンク数をｎとしたときに、複数ある同種インクタンクのインク残量差が、満杯時のタンク容量のｎ分の１になるように、インク使用割合をずらす。【選択図】  図１
2007137004.tif 000002
【特許請求の範囲】
【請求項１】
同一種類のインクタンクを複数個搭載可能であり、
当該インクタンクには、それぞれインク残量を検出する手段と、
当該インクタンクと１対にインク供給される、当該インクタンクと同数の印刷ヘッドと、
当該インクタンクのインク残量値から、当該印刷ヘッドへのインク使用量分配割合を算出する
画像分配割合算出手段と、
画像分配割合算出手段で得られた割合いで、印刷画像を分配し転送する分配転送手段と、
を有するシリアルスキャンプリンタを備え、
インク使用量分配割合を算出するにあたっては、
当該インクタンクの満杯容量をＬとし、
当該インクタンクの数量をｎとし、
当該インクタンクを、それぞれのインク残量の多い順に並べたときに、
隣り合うすべてのインクタンクのインク残量差が、Ｌ／ｎに近づくように分配するような分配方法であって、
Ｌ／ｎに近づくように分配するにあたっては、
インク残量が最大なインクタンクとインク残量が２番目に多いインクタンクとのインク残量Ｒ１とし、
インク残量が２番目に多いインクタンクとインク残量が３番目に多いインクタンクとのインク残量をＲ２とし、
インク残量がｍ番目に多いインクタンクとインク残量が(ｍ＋１)番目に多いインクタンクとのインク残量をＲｍとし、
インク残量が(ｎ−１)番目に多いインクタンクとインク残量が最少なインクタンクとのインク残量をＲ(ｎ−１)と
するとき、
残量最多のインクタンクにおいては、
Ｒ１＞Ｌ／ｎの場合には、1/nより大きいインク使用割合で
Ｒ１＝Ｌ／ｎの場合には、1/nに等しいインク使用割合で、
Ｒ１＜Ｌ／ｎの場合には、1/nより小さいインク使用割合で、
印刷し、このインクタンクの使用割合をＵ１とし、
ｍ番目で、かつ残量最少でないインクタンクにおいては、
Ｒｍ＞Ｌ／ｎの場合には、1/nより大きいインク使用割合で
Ｒｍ＝Ｌ／ｎの場合には、1/nに等しいインク使用割合で、
Ｒｍ＜Ｌ／ｎの場合には、1/nより小さいインク使用割合で、
印刷し、このインクタンクの使用割合をＵｍとし、
残量最少のインクタンクにおいては、
１−（Ｕ１＋Ｕ２…＋Ｕｍ…＋Ｕ(n-1)）のインク使用割合で、
印刷するような分配方法を用いる
ことを特徴とする印刷システム。
【発明の詳細な説明】
【技術分野】
【０００１】
本発明は、同一なインクタンクを複数装着可能なように構成されたインクジェットプリンタにおいて、同一で複数装着されたインクタンクが同時に空になるのを防止する機能に関する。
【背景技術】
【０００２】
同一のインクタンクを複数個搭載する構成のインクジェットプリンタでは、同一のインクタンクのうち、一方のインクタンクが空になったら、他方のインクタンクにきりかえて使用する構成のもの（特許文献１、特許文献３）や、同一のインクタンクのうち、一方のインクタンクが空になったら、他方のインクタンクからの供給のみで印刷動作を継続する構成のもの（特許文献２）や、同一のインクタンクのうち、常に同一の位置に装着されたインクタンクが先に空になるように、切り替えて供給する構成のもの（特許文献３）、などが提案されている。
【０００３】
従来技術を顧みてみると、特許文献１では、下記の構成のものが開示されている。
【０００４】
記録剤カートリッジを交換可能に装着できるものであり、複数の記録剤カートリッジが装着され、それら複数の記録剤カートリッジには同一の記録剤が充填されており、複数の記録剤カートリッジの各々の記録剤残量を検出する検出手段と、検出した各々の記録剤残量に応じて、複数の記録剤カートリッジの中から使用する記録剤カートリッジを選択するカートリッジ選択手段とを備え、好適な実施形態では、カートリッジ選択手段が、記録剤残量が最も少ない記録剤カートリッジを優先的に選択し、選択した記録剤カートリッジの記録剤残量が印刷の途中でゼロ又は僅少になるときは、使用する記録剤カートリッジを他の記録剤カートリッジに切換えて印刷を継続するようにする。
【０００５】
別の好適な実施形態では、カートリッジ選択手段が、印刷量に応じて比較的記録剤残量が多い記録剤カートリッジを選択する。具体的に言えば、カートリッジ選択手段は、そのときの印刷に使用されると推定される記録剤使用量よりも記録剤残量が多い記録剤カートリッジを選択する。
【０００６】
また、特許文献２には、下記の構成のものが開示されている。
【０００７】
本発明は、印刷ヘッドからインク滴を吐出してドットを形成することにより印刷を行う印刷装置であって、インクを吐出するための第１のノズル列と、前記第１のノズル列に対して千鳥に配列されるとともに、前記第１のノズル列から独立して前記第１のノズル列と同一の色のインクの供給を受けることが可能な第２のノズル列と、を有する印刷ヘッドと、前記第１のノズル列に供給するためのインクを収容する第１のインクタンクと、前記第２のノズル列に供給するためのインクを収容する第２のインクタンクと、を有する１つまたは複数のインクカートリッジを装着可能なカートリッジ装着部と、前記第１のインクタンクと前記第２のインクタンクのそれぞれのインクの残量を計測するインク残量計測部と、前記第１のインクタンクのインク残量と前記第２のインクタンクのインク残量とに応じて、インクドットの形成に使用するインクタンクを選択するインクタンク選択部とを備えることを特徴とする。
【０００８】
本発明の印刷装置では、同一の色のインクを収容する複数のインクタンクのそれぞれのインク残量に応じて、インクドットの形成に使用するインクタンクが選択されるので、たとえば、複数のインクタンクのうちのいずれか一方にインクが残っていれば、残っている側のインクタンクからインクの供給を受けるノズル列を使用してインクドットを形成することができる。すなわち、同一色のインクを収容する２つのインクタンク内のインクを効率的に使用することができる。
【０００９】
上記印刷装置において、前記インクタンク選択部は、前記第１のインクタンクのインク残量と前記第２のインクタンクのインク残量の少なくとも一方が、予め定められた所定の閾値より少ない場合には、他方のインクタンクをインクドットの形成に使用するインクタンクに選択するようにするのが好ましい。
【００１０】
この構成では、２つのインクタンクのそれぞれのインク残量が予め定められた所定の閾値より少ないか否かを判断することによって、インクドットの形成に使用するインクタンクを簡易に選択することができる。
【００１１】
上記印刷装置において、前記インクタンク選択部は、前記第１のインクタンクのインク残量と前記第２のインクタンクのインク残量とに応じて、インク残量の多い方のインクタンクをインクドットの形成に使用するインクタンクに選択するようにするのが好ましい。
【００１２】
こうすれば、双方のインクタンク内のインクを均等に使用して印刷を行うことができるので、一方のインクタンクの片減りを抑制することができる。
【００１３】
上記印刷装置において、前記インクタンク選択部は、印刷装置が印刷開始の指示を受け取る毎に、インクドットの形成に使用するインクタンクを選択するようにするのが好ましい。
【００１４】
こうすれば、インクドットの形成に使用するノズル列の切り替えを、印刷開始毎に簡易に行うことができる。
【００１５】
上記印刷装置において、前記インクタンク選択部は、新たなページの印刷を開始する毎に、インクドットの形成に使用するインクタンクを選択するようにするのが好ましい。
【００１６】
こうすれば、印刷中においてもインクドットの形成に使用するインクタンクの切り替えをページ毎に行うことができる。
【００１７】
なお、上記印刷装置において、前記インクはブラックインクであるのが好ましい。
【００１８】
こうすれば、２つのノズル列を用いて高速に白黒のテキストや線画を印刷することができるからである。
【００１９】
上記印刷装置において、前記インクタンク選択部は、前記第１のインクタンクと前記第２のインクタンクの双方を用いた比較的高速の白黒印刷をしている場合に、前記第１のインクタンクのインク残量と前記第２のインクタンクのインク残量の少なくとも一方が、予め定められた所定の閾値より少なくなったと判定されたときには、他方のインクタンクのみを使用する比較的低速の白黒印刷に切り替えるようにするのが好ましい。
【００２０】
こうすれば、高速の白黒印刷をしている場合に一方のインクタンクのインク残量が少なくなったときにも、インク残量が十分に残っている側のインクタンクからインクの供給を受けるノズル列を使用して印刷を続行することができる。
【００２１】
上記印刷装置において、前記インクタンク選択部は、前記第１のノズル列および前記第２のノズル列の使用されていない不使用期間をそれぞれ算出するとともに、前記第１のノズル列と前記第２のノズル列の少なくとも一方の不使用期間が予め定められた所定の期間よりも長いときには、前記不使用期間が長い方のノズル列をインクドットの形成に使用するノズル列に含めるようなインクタンクの選択を行うようにするのが好ましい。
【００２２】
不使用期間が長くなるとノズル内部の粘度が上昇して目詰まりを起こしやすくなるという傾向があるが、この構成では、このような目詰まりを抑制することができる。
【００２３】
上記印刷装置において、前記インクタンク選択部は、前記インクタンク選択部は、前記選択の直前の印刷において前記ノズル列と前記追加ノズル列の少なくとも一方が使用されていなかった場合には、前記使用されていなかった方のノズル列をインクドットの形成に使用するノズル列に含めるようにインクタンクを選択するようにするのが好ましい。
【００２４】
こうすれば、ノズル列の不使用期間をさらに短くすることができるので、ノズル内部の粘度の上昇に起因する目詰まりをさらに抑制することができる。
【００２５】
上記印刷装置において、前記第１のノズル列と前記第２のノズル列のいずれか一方は、インク以外の他の液剤を収容するタンクから前記液剤の供給を受けることが可能であり、前記インクタンク選択部は、前記一方のノズル列に供給するための液剤を収容するタンクを前記液剤の塗布のために使用するインクタンクに選択するとともに、他方のノズル列に供給するためのインクを収容するインクタンクをインクドットの形成に使用するインクタンクに選択するようにするのが好ましい。
【００２６】
また、上記印刷装置において、前記第１のノズル列と前記第２のノズル列のいずれか一方は、インク以外の他のインクを収容するタンクから前記インクの供給を受けることが可能であり、前記インクタンク選択部は、前記一方のノズル列に供給するためのインクを収容するタンクを前記インクのドットの形成に使用するインクタンクに選択するとともに、他方のノズル列に供給するためのインクを収容するインクタンクをインクドットの形成に使用するインクタンクに選択するのが好ましい。
【００２７】
こうすれば、インク以外の他の液剤をインクとして誤って吐出することによる画質の劣化を防止するとともに、他の液剤やインクを使用することができる。
【００２８】
また、特許文献３には、下記の構成のものが開示されている。
【００２９】
一つの記録ヘッドに対して複数のインクタンクをインク供給可能に連通させ、前記複数のインクタンクのうちのいずれか１つのインクタンクから前記記録ヘッドにインクを供給するようにしたインクジェットプリンタであって、前記複数のインクタンクのうち、常に同じ場所に配置されるインクタンクが先にインク切れとなるように前記記録ヘッドに対するインク供給を制御するインク供給制御手段を有することを特徴とするインクジェットプリンタである。
【００３０】
前記複数のインクタンクは相互にインク流通可能に連通され、前記インク供給制御手段は、前記先にインク切れとなるように制御されるインクタンク内にインクが残っていて、他のインクタンクが満杯でない場合に、前記先にインク切れとなるように制御されるインクタンクから前記他のインクタンクにインクを供給するように制御することを特徴とするインクジェットプリンタである。
【００３１】
前記複数のインクタンクは上下方向に配置され、前記先にインク切れとなるように制御されるインクタンクは、そのうちの最上部に配置されることを特徴とするインクジェットプリンタである。
【００３２】
前記記録ヘッドと前記複数のインクタンクとの間に、前記複数のインクタンクのうちのいずれかから供給されるインクを一旦貯留する一つの中間タンクが設けられると共に、前記中間タンクのインク残量を検知する検知手段が設けられ、前記インク供給制御手段は、前記検知手段の検知結果により、前記インクタンクのインク切れを検知することを特徴とするインクジェットプリンタである。
【特許文献１】特開２００１−３２８２５７号公報
【特許文献２】特開２００３−１８４２号公報
【特許文献３】特開２００５−９６２２７号公報
【発明の開示】
【発明が解決しようとする課題】
【００３３】
上記のいずれの従来技術でも、同一の複数インクタンクを装着し、これらを同時に使用する構成のインクジェットプリンタにおいて、複数の同一インクタンクを同時に交換する場面を積極的に回避することには特に注意が払われていない。
【００３４】
複数の同一インクタンクが同時に空になると、ユーザは、空になったのと同一のインクタンクを、同数の個数だけ、用意しなければならない。
【００３５】
すなわち、インクタンク交換時に必要となるインクタンク数量は、単一のインクタンクを準備する場合に比較して、その同数倍となる。
【００３６】
このことは、インクタンク調達におけるリスクを増大させている。
【００３７】
すなわち、同時に同一インクタンクを複数個を確保することは、単数個の場合に比較して、調達出来ない可能性が高くなる。
【００３８】
また、確保できた場合においても、調達にかかる経済負担は、個数倍だけ増大する。
【００３９】
また、複数の同一インクタンクが同時に空になる可能性があれば、インクタンク交換時期に先立って、あらかじめ交換用インクタンクを調達する場合においても、複数インクタンク同時交換に備えて、装着個数分のインクタンクを準備する必要があり、同様に、リスクが高いと言える。
【００４０】
このように、複数の同一インクタンクが同時に空になる可能性があることは、それ自体が、ユーザにとっての、インクタンク調達にかかる経済負担等を増大させていることがわかる。
【００４１】
本発明は、上記の問題点を解決することを目的として、同一の複数インクタンクを装着し、これらを同時に使用する構成のインクジェットプリンタにおいて、複数の同一インクタンクを同時に交換する場面を積極的に回避する方法について提案する。
【課題を解決するための手段】
【００４２】
インクタンクのインク満杯時のインク量を
INKremain＿full
とし、同種類の各インクタンク（1,2…〜…n）それぞれのインク残量を
INKremain（1）、
INKremain（2）、
....
INKremain（n）
とし、それぞれのインクタンク間のインク残量差を
INKremain＿diff（1,2）、        （インクタンク１とインクタンク２）
INKremain＿diff（2,3）、        （インクタンク２とインクタンク３）
....
INKremain＿diff（n−1,n）        （インクタンク（n−1）とインクタンクｎ）
とする時、これらインク残量差がすべて、インク満杯時のインク残量のｎ分の１
INKremain＿diff（1,2）
=INKremain＿diff（2,3）、
....
=INKremain＿diff（n−1,n）
=INKremain＿full / n
になるように、各インクタンク（1,2…〜…n）の使用割合を決定する。
【００４３】
各インクタンク（1,2…〜…n）のインク残量については、これを検出する検出手段を準備する。
【００４４】
各インクタンク（1,2…〜…n）の使用割合の決定に際しては、
インク残量差と使用割合の変換ルールを、あらかじめ作成しておく。
【００４５】
変換ルールとしては、
・インク残量差から一次関数でインク使用割合を算出する方法、
一次関数：y=ax+b
y：インク使用割合
x：インク残量差
a：係数（直線の傾き）
b：係数（y軸切片）
・インク残量差からインク使用割合への変換表をあらかじめ用意し、
当該変換表を用いて、インク使用割合を得る方法
変換表：y=table（x）
x        y
0.0〜    0.3
0.3〜    0.4
0.5〜    0.5
0.8〜    0.6
0.9〜    0.7
y：インク使用割合
x：インク残量差
などがある。
【００４６】
インク残量の多い方から順に、上記の変換ルールに従って、使用割合を決定すればよい。
【００４７】
得られた使用割合に従ってのインク使用にあたっての実現方法は、
１個のインクタンクが１個の印刷ヘッドにそれぞれ独立に接続されている場合には、ヘッドへ画像データを転送する際に、マスキングする方法、
複数個のインクタンクが１個の印刷ヘッドに統合して接続され、切り替えてインク供給される場合には、切り替え機構による接続時間の割合を調節する方法、
などがある。
【発明の効果】
【００４８】
インクタンク交換時の同時交換インクタンク個数を最小限にできるため、
（１）インクタンク交換時のインクタンク調達リスクを低減する効果がある。
【００４９】
また同時に、
（２）インクタンク交換時に負担する調達コストを最小限にできる
という経済効果がある。
【発明を実施するための最良の形態】
【００５０】
次に、本発明の詳細を実施例の記述に従って説明する。
【００５１】
（第１の実施例）
本実施例は、本発明を最も簡易な方法で実現する。
【００５２】
すなわち、同一種類のインクタンクが２個同時に装着する構成のインクジェットプリンタにおいて、同一種類インクタンクの交換時期間隔を均等にする。
【００５３】
本実施例の詳細な説明に先立ち、従来の一般的なシリアルプリンタの概念的かつ基礎的な構成を図１に示す。
【００５４】
図１の構成の側面図を図２に示す。
【００５５】
２個のBkインクタンクが搭載され、それぞれ異なるBkヘッドチップにインクが供給される機構を有し、入力されたBk画像が、画像分配器によって、２個のヘッドへの画像に分配され、それぞれのBkヘッドへ送られるように構成されたシリアルプリンタの概念的かつ基礎的な構成を図３に示す。
【００５６】
図３のように構成された従来のシリアルプリンタにおけるインク消費の様子を図４に示す。
【００５７】
均等に減っていくことがわかる。
【００５８】
さて、本実施例の基本的な構成を図５に示す。
【００５９】
シリアルプリンタの基本的な構成は、従来例とほぼ同一である。
【００６０】
相違点は、
少なくともBkインクタンクについては、何らかのインク残量検出手段を有しており、
それぞれのBkインクタンクへの画像分配手段を有している
点である。
【００６１】
図５のように構成された本実施例のシリアルプリンタにおけるインク消費の様子を図６に示す。
【００６２】
機器の動作とともに、２個のBKインクタンクのインク残量が、徐々に広がっていき、目標残量差に近づいていく。
【００６３】
２個のBkヘッドへの画像分配は、下記のように実施する。
【００６４】
インクタンクのインク満杯時のインク量を
INKremain＿full
とし、同種類の各インクタンク（1,2）それぞれのインク残量を
INKremain（1）、
INKremain（2）、
とし、それぞれのインクタンク間のインク残量差を
INKremain＿diff（1,2）、        （インクタンク１とインクタンク２）
とする時、これらインク残量差がすべて、インク満杯時のインク残量のｎ分の１
INKremain＿diff（1,2）
=INKremain＿full / 2
になるように、各インクタンク（1,2）の使用割合を決定する。
【００６５】
各インクタンク（1,2）のインク残量については、これを検出する検出手段を準備する。
【００６６】
各インクタンク（1,2）の使用割合の決定に際しては、
・インク残量差から一次関数でインク使用割合を算出する方法、
一次関数：y=ax+b
y：インク使用割合（0〜1）
x：インク残量差（0tank〜tank）
a：係数（直線の傾き）
b：係数（y軸切片）
を用いる。ここで、係数aと係数bは、a=0.4、b=0.3などと、あらかじめ決めておく。
【００６７】
Bk1インクタンクの使用割合yは、
y=0.4x+0.3
で得られ、Bk2インクタンクの使用割合は、
1−y
で得られる。
【００６８】
画像分配手段は、マスキング手法で実現できる。
【００６９】
すなわち、互いに補完する関係の２枚のマスクパターンを、分配割合の分割数枚だけ、準備しておき、得られた使用割合に従って、ヘッドへ画像データを転送する際のマスクパターンを選択する。Bk1ヘッド、Bk2ヘッドには、それぞれの使用割合でマスキングされた画像情報が送られるため、所望の使用割合でインクが消費される。
【００７０】
（第2の実施例）
本実施例は、同一種類のインクタンクが３個同時に装着する構成のインクジェットプリンタにおいて、同一種類インクタンクの交換時期間隔を均等にする。
【００７１】
本実施例の基本的な構成を図７に示す。
【００７２】
シリアルプリンタの基本的な構成は、インクタンク数とヘッドチップ数が異なることを除いて、従来例とほぼ同一である。
【００７３】
相違点は、
少なくともBkインクタンクについては、何らかのインク残量検出手段を有しており、
それぞれのBkインクタンクへの画像分配手段を有している
点である。
【００７４】
図７のように構成された本実施例のシリアルプリンタにおけるインク消費の様子を図８に示す。
【００７５】
機器の動作とともに、３個のBKインクタンクのインク残量が、徐々に広がっていき、目標残量差に近づいていく。
【００７６】
３個のBkヘッドへの画像分配は、下記のように実施する。
【００７７】
インクタンクのインク満杯時のインク量を
INKremain＿full
とし、同種類の各インクタンク（1,2）それぞれのインク残量を
INKremain（1）、
INKremain（2）、
INKremain（3）、
とし、それぞれのインクタンク間のインク残量差を
INKremain＿diff（1,2）、        （インクタンク１とインクタンク２）
INKremain＿diff（1,3）、        （インクタンク２とインクタンク３）
とする時、これらインク残量差がすべて、インク満杯時のインク残量のｎ分の１
INKremain＿diff（1,2）
INKremain＿diff（2,3）
=INKremain＿full / 3
になるように、各インクタンク（1,2,3）の使用割合を決定する。
【００７８】
各インクタンク（1,2,3）のインク残量については、これを検出する検出手段を準備する。
【００７９】
各インクタンク（1,2,3）の使用割合の決定に際しては、
・インク残量差からインク使用割合への変換表Ｔをあらかじめ用意し、
当該変換表を用いて、インク使用割合を得る方法
変換表Ｔ：Y=table（X）
X        Y
0.0〜    0.1
0.2〜    0.2
0.3〜    0.3
0.3〜    0.33
0.5〜    0.4
0.7〜    0.5
0.9〜    0.6
Y：インク使用割合
X：インク残量差
を用いる。
【００８０】
３個のBkインクタンクのインク残量の多い順に使用割合を決定する。
【００８１】
３個のBkインクタンクを、インク残量の多い順にそれぞれ、Bkmax,Bkmid,Bkminとする。
【００８２】
まず、BkmaxインクタンクとBkmidインクタンクのインク残量差を、上記変換表Ｔに当てはめて、Bkmaxインクタンクの使用割合Ymaxを得ることが出来る。
【００８３】
次に、BkmidインクタンクとBkminインクタンクのインク残量差を、上記変換表Ｔに当てはめて、Bkmidインクタンクの使用割合Ymidを得ることが出来る。
【００８４】
最後に、全使用割合１から、上記YmaxとYmidを差し引いて、Yminを得る。
【００８５】
画像分配手段は、実施例１と同様にマスキング手法で実現できる。
【００８６】
すなわち、互いに補完する関係の３枚のマスクパターンを、分配割合の分割数枚だけ、準備しておき、得られた使用割合に従って、ヘッドへ画像データを転送する際のマスクパターンを選択する。Bk1ヘッド、Bk2ヘッド、Bk3ヘッドには、それぞれの使用割合でマスキングされた画像情報が送られるため、所望の使用割合でインクが消費される。
【００８７】
［産業上の利用可能性］
ここでは、インクジェットプリンタにおける同一種類インクタンクの交換時期間隔を均等化する方法について、提案したが、一般的に、同一種類の消耗品を複数搭載する機器については、応用出来る可能性がある。
【図面の簡単な説明】
【００８８】
【図１】シリアルスキャンのインクジェットプリンタの基本（上面図）
【図２】シリアルスキャンのインクジェットプリンタの基本（側面図）
【図３】Bkインクタンクを２個搭載するシリアルスキャンのインクジェットプリンタ
【図４】２個の同一種類のインクタンクを搭載し、均等にインクを消費する例
【図５】Bkインクタンクを２個搭載し、インクタンク交換時期を均等にするシリアルスキャンのインクジェットプリンタ
【図６】２個の同一種類のインクタンクを搭載し、インク残量が目標残量差に近づいていく例
【図７】Bkインクタンクを３個搭載し、インクタンク交換時期を均等にするシリアルスキャンのインクジェットプリンタ
【図８】３個の同一種類のインクタンクを搭載し、インク残量が目標残量差に近づいていく例
【図１】
2007137004.tif 000003
【図２】
2007137004.tif 000004
【図３】
2007137004.tif 000005
【図４】
2007137004.tif 000006
【図５】
2007137004.tif 000007
【図６】
2007137004.tif 000008
【図７】
2007137004.tif 000009
【図８】
2007137004.tif 000010